【手続補正書】
【提出日】平成20年12月19日(2008.12.19)
【手続補正１】
【補正対象書類名】特許請求の範囲
【補正対象項目名】全文
【補正方法】変更
【補正の内容】
【特許請求の範囲】
【請求項１】
複数の遊戯領域と、
前記複数の遊戯領域で共通に利用される共用部と、
予め定められた条件を満たしたときに実行され、かつ、前記複数の遊戯領域のうち一の遊戯領域が前記共用部を占有して実行される第１イベントを制御する第１制御手段と、
前記第１イベントが実行されている場合に、前記複数の遊戯領域のうち前記一の遊戯領域とは異なる少なくとも一つの他の遊戯領域において前記共用部を使用することなく実行される第２イベントを制御する第２制御手段と、
を備える遊戯装置。
【請求項２】
前記第１制御手段は、前記第１イベントとして、前記共用部から前記一の遊戯領域にメダルを払い出す処理を実行するものであり、
前記第２制御手段は、前記第２イベントとして、前記共用部とは異なる部位から前記他の遊戯領域にメダルを払い出す処理を実行するものである、
請求項１記載の遊戯装置。
【請求項３】
前記共用部は、ジャックポット機構を有しており、
前記複数の遊戯領域の各々は、複数のメダルが載置されるメダルフィールド、該メダルを該メダルフィールドの外方へ押し出す往復動手段、遊戯者がメダルを投入する投入口、及び、該遊戯者が投入したメダルを前記メダルフィールドに導く導入手段、を有しており、
前記第１制御手段は、前記第１イベントとして、前記ジャックポット機構から前記一の遊戯領域にメダルを払い出す処理を実行するものであり、
前記第２制御手段は、前記第２イベントとして、前記共用部とは異なる部位から前記他の遊戯領域にメダルを払い出す処理を実行するものである、
請求項１又は請求項２記載の遊戯装置。
【請求項４】
前記複数の遊戯領域で投入される前記メダルの量に所定割合を乗じた量を仮想メダル量として累積記憶する仮想メダル量記憶手段と、
前記第２イベントにおいて、予め定めた所定条件を満たしたときに、前記仮想メダル量記憶手段に記憶された仮想メダル量に所定の換算率を乗じた量のメダルの払い出しを行う補給手段と、
を備える請求項１乃至請求項３のいずれかに記載の遊戯装置。
【請求項５】
前記仮想メダル量記憶手段は、前記他の遊戯領域が前記第２イベントを実行しているか否かを判断し、該第２イベントを実行していると判断したときに、前記換算率を通常よりも高く設定するものである、
請求項４記載の遊戯装置。
【請求項６】
遊戯者がメダルゲームを行う複数のサテライト装置と、
各サテライト装置と情報の送受信が可能に構成されたメイン装置と、
前記サテライト装置に払い出すための複数のメダルを貯蔵するメダル貯蔵手段と、
を備えた遊戯装置であって、
前記サテライト装置は、
遊戯者がメダルを投入するメダル投入口と、
前記メダル投入口にメダルが投入されたことを検出するメダル投入検出手段と、
前記メダル投入口から投入されたメダルを載置するメダル載置面を有するメダル載置台と、
前記メダル載置面上のメダルを落下空間へ押し出すメダル押出手段と、
入賞口と、
前記入賞口にメダルが入ったことを検出するメダル入賞検出手段と、
前記メダル入賞検出手段からの検出信号を受信してサテライト装置の記憶手段に記憶されたゲームプログラムに基づいて所定の役の当たり又はハズレを決定する抽選処理を実行するサテライト制御手段と、
前記抽選処理の結果を表示する表示手段と、
前記メダル貯蔵手段に貯蔵されているメダルを、前記メダル載置面に払い出すサテライトメダル払出手段と、
を有し、
前記メイン装置は、
前記メダル貯蔵手段に貯蔵されているメダルを、前記複数のサテライト装置のうち一のサテライト装置に対して払い出すメインメダル払出手段と、
サテライト装置のメダル投入口にメダルが投入されたことを示す信号を各サテライト制御手段から受信する度に、メダル量に第一の割合を乗じた量を仮想メダル量としてメイン装置の記憶手段に累積記憶し、前記サテライト制御手段から所定の役の当たりを決定したことを示す信号を受信して、該信号を送信したサテライト装置に対して前記メインメダル払出手段によりメダルを払い出す順番を前記記憶手段に記憶し、前記順番に従って前記メインメダル払出手段によりサテライト装置に対してメダルを払い出すように制御するメイン制御手段と、
を有し、
前記メイン制御手段は、
前記サテライト制御手段から所定の役の当たりを決定したことを示す信号を受信した際に、前記記憶手段に記憶された順番情報に基づいて順番待ちであるか否かを判定し、
順番待ちであるならば、待ち状態であることを示す信号を前記サテライト制御手段に送信し、
前記待ち状態であることを示す信号を受信した前記サテライト制御手段から、前記メダル投入口にメダルが投入されたことを示す信号を受信する度に、メダル量に第二の割合を乗じた量を仮想メダル量としてメイン装置の記憶手段に累積記憶し、
前記待ち状態であることを示す信号を受信した前記サテライト制御手段は、
前記メダル入賞検出手段からの検出信号を受信してサテライト装置の記憶手段に記憶されたゲームプログラムに基づいて、仮想メダル量を獲得する権利の当たり又はハズレを決定する抽選処理を実行し、
当たりを決定した場合には、前記仮想メダル量を獲得する権利の当選を示す信号を前記メイン制御手段へ送信し、
前記仮想メダル量を獲得する権利の当選を示す信号を受信した前記メイン制御手段から、累積している仮想メダル量を受信して、当該仮想メダル量に相当するメダル量を前記サテライトメダル払出手段により前記メダル載置面に払い出すよう制御する
ことを特徴とする遊戯装置。
【請求項７】
複数の遊戯領域と、該複数の遊戯領域で共通に利用される共用部とを備える遊戯装置において実行される遊戯を制御する方法であって、
予め定められた条件を満たしたときに、前記複数の遊戯領域のうち一の遊戯領域が前記共用部を占有する第１イベントを実行する第１制御ステップと、
前記第１のイベントが実行されている場合に、前記複数の遊戯領域のうち前記一の遊戯領域とは異なる少なくとも一つの他の遊戯領域において前記共用部を使用しない第２イベントを実行する第２制御ステップと、
を備える遊戯装置の制御方法。
【請求項８】
前記第１制御ステップにおいては、前記第１イベントとして、前記共用部から前記一の遊戯領域にメダルを払い出す処理を実行し、
前記第２制御ステップにおいては、前記第２イベントとして、前記共用部とは異なる部位から前記他の遊戯領域にメダルを払い出す処理を実行する、
請求項７記載の遊戯装置の制御方法。
【請求項９】
複数の遊戯領域に払い出すための複数のメダルを貯蔵するメダル貯蔵手段と、前記複数の遊戯領域のうち、一の遊戯領域に前記メダル貯蔵手段に貯蔵されているメダルを払い出す第１の払出し手段と、前記複数の遊戯領域の各々に前記メダル貯蔵手段に貯蔵されているメダルを払出す第２の払出し手段とを備えるメダル遊戯装置であって、
前記メダル遊戯装置は、
前記複数の遊戯領域の各々にメダルが投入されるメダル投入口と該メダル投入口にメダルが投入されたことを検出するメダル投入検出手段と前記メダル投入口に投入されたメダルが前記遊戯領域内の所定箇所を通過したことを検出するメダル通過検出手段と該メダル通過検出手段が検出したメダル通過の情報に基づき、所定の役の成立又は不成立を抽選する第１の抽選処理を実行する第１の制御手段と、
前記メダル投入検出手段が検出したメダル投入の情報に第１の割合を乗じた値を仮想メダル値としてメモリに累積して記憶させるとともに、前記第１の制御手段が実行した第１の抽選処理において前記所定の役が成立した遊戯領域に対して、前記第１の払出し手段からメダルを払出すように制御する第２の制御手段とを備え、
前記第２の制御手段は、
前記第１の制御手段が実行した第１の抽選処理において所定の役が成立したとき、前記第１の払出し手段からメダルを払出す順番情報を前記所定の役が成立した順にメモリに記憶させ、
前記記憶した順番情報に基づき、前記第１の払出し手段からの払出しが待機状態であると判断したとき、前記待機状態の遊戯領域に投入されるメダルのメダル投入の情報に前記第１の割合と異なる第２の割合を乗じた値を前記仮想メダル値として、さらに前記メモリに累積して記憶させ、
前記第１の制御手段は、
前記メダル通過検出手段が検出したメダルの通過の情報に基づき、前記第１の抽選処理とは異なる、前記仮想メダル値を獲得する権利の当選又は落選を決定する第２の抽選処理を実行し、
前記第２の抽選処理において、仮想メダル値を獲得する権利に当選したとき、前記仮想メダル値に相当するメダル数を前記第２の払出し手段から一の遊戯領域に払出すように制御する
ことを特徴とするメダル遊戯装置。